(57)【要約】【課題】過去の放送のうち、興味のある放送を視聴者にリアルタイムで把握させて、この放送の視聴環境を提供する。【解決手段】実施形態における放送システムは、コンテンツ解析装置およびコンテンツ配信装置を有する放送システムであって、前記コンテンツ解析装置は、放送コンテンツを逐次解析し、前記解析の結果に基づいて、現時点に対して所定時間遡った時点からの放送コンテンツの内容を示すメッセージを視聴者が利用する受信機に通知して過去放送コンテンツの視聴の操作を促すためのメタデータを逐次生成し、前記コンテンツ配信装置は、現時点に対して所定時間遡った時点からの過去放送コンテンツを保持し、前記メタデータが通知された受信機に対して該当する過去放送コンテンツを配信する。【選択図】      図１
2018157412.tif 000002
【特許請求の範囲】
【請求項１】
コンテンツ解析装置およびコンテンツ配信装置を有する放送システムであって、
前記コンテンツ解析装置は、
放送コンテンツを逐次解析し、前記解析の結果に基づいて、現時点に対して所定時間遡った時点からの放送コンテンツの内容を示すメッセージを視聴者が利用する受信機に通知して過去放送コンテンツの視聴の操作を促すためのメタデータを逐次生成し、
前記コンテンツ配信装置は、
現時点に対して所定時間遡った時点からの過去放送コンテンツを保持し、
前記メタデータが通知された受信機に対して該当する過去放送コンテンツを配信する
放送システム。
【請求項２】
前記コンテンツ解析装置は、
前記放送コンテンツに含まれる映像、音声の少なくとも１種類を逐次解析し、前記メタデータを逐次生成する
請求項１に記載の放送システム。
【請求項３】
前記コンテンツ解析装置は、
前記解析の結果に基づいて、前記放送コンテンツの内容および放送日時を含む前記メタデータを生成し、
前記コンテンツ配信装置は、
現時点に対して遡った複数種類の時間にそれぞれ応じた前記過去放送コンテンツを保持し、
前記メタデータが通知された受信機からの前記過去放送コンテンツの放送時間の選択に応じた過去放送コンテンツを配信する請求項１に記載の放送システム。
【請求項４】
前記コンテンツ解析装置は、
前記解析の結果に基づいて、前記放送コンテンツの内容および放送日時を含む前記メタデータを生成し、
前記コンテンツ配信装置は、
現時点に対して遡った複数種類の時間にそれぞれ応じた前記過去放送コンテンツを保持し、
前記メタデータが通知された受信機からの遡り視聴の起点に対応するメタデータの選択に応じた過去放送コンテンツを配信する
請求項１に記載の放送システム。
【請求項５】
前記生成されたメタデータは、放送局から前記受信機に放送され、
前記受信機は、
現在選局しているチャンネルに応じた前記メタデータを表示し、
前記コンテンツ配信装置は、
前記選局しているチャンネルに応じた過去放送コンテンツを配信する
請求項１に記載の放送システム。
【請求項６】
放送コンテンツを逐次解析し、前記解析の結果に基づいて、現時点に対して所定時間遡った時点からの放送コンテンツの内容を示すメッセージを受信機に通知して過去放送コンテンツの視聴の操作を促すためのメタデータを逐次生成する
コンテンツ解析装置。
【発明の詳細な説明】
【技術分野】
【０００１】
本発明の実施形態は、放送システムおよびコンテンツ解析装置に関する。
【背景技術】
【０００２】
近年のテレビ放送の視聴者は、家庭などに設置されるテレビ受信機を用いたり、または、ワンセグ放送の受信機能を有する受信機（携帯電話機など）を用いたりして、テレビ放送の番組（放送コンテンツ）を視聴することができる。
【０００３】
番組の視聴にあたり、視聴者は、新聞などに掲載されるテレビ番組表などを確認して所望の番組を放送するチャンネルを選局し、または、いわゆるザッピングによりチャンネルを選局して、この選局したチャンネルで放送される番組を視聴する。
【先行技術文献】
【特許文献】
【０００４】
【特許文献１】特開２００８−００５２８２号公報
【特許文献２】特開２００７−３０５０５４号公報
【発明の概要】
【発明が解決しようとする課題】
【０００５】
テレビ放送においては、例えば、あるチャンネルで、（１）生放送において発生した事象（例えば、スポーツ中継における得点シーン）、（２）地震速報といった、緊急で発生した事象、（３）緊急ニュース、などのシーンが放送されてしまった後で、視聴者がテレビのスイッチを入れてこのチャンネルの視聴を開始することがある。
【０００６】
仮に、視聴者が、上記（１）〜（３）の放送時に該当のチャンネルを選局して視聴できる環境にあったときに、視聴者がこの放送を見たかったとしても、放送がすでに終了しているので、視聴者は見たいシーンを見逃してしまう。
【０００７】
過去の放送コンテンツに関しては、受信機とは別の録画機器などを用いて、放送時におけるEPG（電子番組ガイド）ととともに録画しておくことが考えられるが、視聴者は、この録画したコンテンツから自身が興味のあるコンテンツを探し出すには、各コンテンツを再生したりEPGを参照したりする必要があり、所望の放送コンテンツを視聴者がリアルタイムで視聴することはできない。
【０００８】
本発明が解決しようとする課題は、過去の放送のうち、興味のある放送を視聴者にリアルタイムで把握させて、この放送の視聴環境を提供することが可能な放送システムおよびコンテンツ解析装置を提供することである。
【課題を解決するための手段】
【０００９】
実施形態における放送システムは、コンテンツ解析装置およびコンテンツ配信装置を有する放送システムであって、前記コンテンツ解析装置は、放送コンテンツを逐次解析し、前記解析の結果に基づいて、現時点に対して所定時間遡った時点からの放送コンテンツの内容を示すメッセージを視聴者が利用する受信機に通知して過去放送コンテンツの視聴の操作を促すためのメタデータを逐次生成し、前記コンテンツ配信装置は、現時点に対して所定時間遡った時点からの過去放送コンテンツを保持し、前記メタデータが通知された受信機に対して該当する過去放送コンテンツを配信する。
【００１０】
実施形態における放送システムは、放送コンテンツを逐次解析し、前記解析の結果に基づいて、現時点に対して所定時間遡った時点からの放送コンテンツの内容を示すメッセージを受信機に通知して過去放送コンテンツの視聴の操作を促すためのメタデータを逐次生成する。
【発明の効果】
【００１１】
本発明によれば、過去の放送のうち、興味のある放送を視聴者にリアルタイムで把握させて、この放送の視聴環境を提供することができる。
【図面の簡単な説明】
【００１２】
【図１】実施形態における放送システムの構成の一例を模式的に示す図。
【図２】実施形態における放送システムのコンテンツ解析装置のコンテンツ解析部の機能構成の一例を示すブロック図。
【図３】実施形態における放送システムによる、放送から遡り番組の視聴までの流れの一例を示す図。
【図４】実施形態における放送システムによる、リアルタイム放送に対する、リアルタイムメタデータおよび遡り視聴の一例について説明する図。
【図５】実施形態における放送システムによる、放送から遡り番組の視聴までの手順の一例を示すフローチャート。
【発明を実施するための形態】
【００１３】
以下、実施形態について図面を用いて説明する。  
図１は、実施形態における放送システムの構成の一例を模式的に示す図である。  
図１に示すように、実施形態における放送システムは、コンテンツ解析装置１０、コンテンツ配信装置２０、視聴者の受信機３０を有する。
【００１４】
コンテンツ解析装置１０は、テレビ放送局から有線または無線により現在放送される放送コンテンツ（番組）に基づいて、この放送コンテンツにおける放送時の内容を例えば短文のメッセージとして示すリアルタイムメタデータ（インデックス情報）を逐次生成して、例えば通信ネットワークを介して放送局に配信する。放送局は、このリアルタイムメタデータを受けると、これを例えばデータ放送として放送する。受信機３０は、この放送されたリアルタイムメタデータを受信可能である。これにより、リアルタイムメタデータが受信機３０に通知される。このように、コンテンツ解析装置１０がリアルタイムメタデータを逐次生成することで、刻々と変化する放送内容をそれぞれ示す情報をリアルタイムで生成して受信機３０に通知できる。
【００１５】
受信機３０は、現時点に対して例えば５分だけ遡った時点からのリアルタイムメタデータを放送局から受信して時系列に沿って視聴者向けに表示し、この表示を確認した視聴者からの操作に伴って、現時点に対して例えば５分だけ遡った時点からのコンテンツを出力（モニタ表示、音声出力）して視聴者に視聴させる。
【００１６】
コンテンツ配信装置２０は、現時点に対して例えば５分だけ遡った時点からの過去放送コンテンツである遡り番組を、例えば５分間隔（５分、１０分、１５分…）の遡り番組として不揮発性メモリなどの記憶媒体に保持しており、これらの遡り番組を例えば通信ネットワークを介して受信機３０に配信する。
【００１７】
つまり、コンテンツ解析装置１０は、現在放送される放送コンテンツを逐次解析し、解析の結果に基づいて、現時点に対して例えば５分だけ遡った時点からの放送コンテンツの内容を示すメッセージを視聴者が利用する受信機３０に通知して、過去放送コンテンツの視聴の為の操作を視聴者に促すためのメタデータを逐次生成することができる。
【００１８】
以下、コンテンツ解析装置１０、コンテンツ配信装置２０、受信機３０の構成の詳細についてそれぞれ説明する。  
（コンテンツ解析装置）
コンテンツ解析装置１０は、受信部１１、コンテンツ解析部１２を有する。  
受信部１１は、放送局から放送された放送コンテンツを受信し、この放送コンテンツにおける、例えばＴＳ（Transport Stream）の形式で多重されてきた映像（字幕などを含む）および音声を多重分離して、それぞれの圧縮信号に戻し、これらの圧縮信号を復号して映像信号および音声信号をコンテンツ解析部１２に出力する。また、放送コンテンツに映像や音声以外の、例えば現在日時などの信号が含まれていれば、受信部１１は、この信号を分離してコンテンツ解析部１２に出力する。
【００１９】
（コンテンツ解析装置内のコンテンツ解析部）
図２は、実施形態における放送システムのコンテンツ解析装置のコンテンツ解析部の機能構成の一例を示すブロック図である。  
図３は、実施形態における放送システムによる、放送から遡り番組の視聴までの流れの一例を示す図である。  
図４は、実施形態における放送システムによる、リアルタイム放送に対する、リアルタイムメタデータおよび遡り視聴の一例について説明する図である。  
図２に示すように、コンテンツ解析部１２は、コンテンツ取得部１２ａ、コンテンツ解析部１２ｂ、メタデータ生成部１２ｃ、出力部１２ｄを有する。
【００２０】
コンテンツ取得部１２ａは、受信部１１が受信した放送コンテンツを取得する。  
コンテンツ解析部１２ｂは、コンテンツ取得部１２ａが取得した放送コンテンツに含まれる一定時間内の映像、一定時間内の音声を逐次解析する。
【００２１】
メタデータ生成部１２ｃは、コンテンツ解析部１２ｂによる解析結果をもとに、放送コンテンツの内容を示すリアルタイムメタデータを逐次生成する。このリアルタイムメタデータは、放送コンテンツの放送日時、およびこの放送日時における放送内容を示すメッセージを含む。  
リアルタイムメタデータの生成にあたり、メタデータ生成部１２ｃは、例えば、上記の解析結果で示される、ある放送日時における番組内容を示すキーワードを人工知能（ＡＩ）を用いて得る。そして、メタデータ生成部１２ｃは、このキーワードから、メッセージ生成の基準に基づいて、放送内容を簡潔に示し、かつ、視聴者による遡り番組の視聴の要否の判断に有用となるメッセージを生成し、このメッセージを上記のように放送時の日時と対応付けることで、リアルタイムメタデータ（図３、図４参照）とすることができる。
【００２２】
例えば図４に示すように、リアルタイムメタデータは、例えば現在時刻の１０時０１分１０秒において、第１のリアルタイムメタデータ（放送日時「１０時０１分００秒」、メッセージ「日本ゴール」）、第２のリアルタイムメタデータ（放送日時「１０時０６分００秒」、メッセージ「地震速報」）、第３のリアルタイムメタデータ（放送日時「１０時０９分００秒」、メッセージ「犯人逮捕の瞬間！」）などが時系列に沿って受信機３０に表示され、放送の進行にともなって、新たなリアルタイムメタデータが逐次表示される。
【００２３】
上記の放送内容のメッセージは、該当のリアルタイムメタデータの放送日時またはこの日時の直前に発生した事象（例えばスポーツ中継における得点シーン、地震速報、最新のニュース（図４参照））を短文のメッセージにて表現したものであり、他の放送日時について生成されるリアルタイムメタデータの放送内容のメッセージと区別可能な内容であることが望ましい。
【００２４】
上記の放送日時は、放送コンテンツに現在日時の信号が含まれていれば、この時刻であってもよく、また、コンテンツ取得部１２ａによる放送コンテンツの解析時に当該コンテンツ取得部１２ａが内部時計で計時した日時であってもよく、この放送コンテンツが放送された日時に対応する日時であれば、特に限られない。また、放送日時は、例えば時分または時分秒で表現されてもよいし、さらに年月日を含んで表現されてもよい。  
また、上記の放送日時は、現時点から遡った時間（例えば「○○分前」）で表現されてもよい。
【００２５】
また、上記の例では、コンテンツ解析部１２が、放送コンテンツの映像及び音声の双方を解析して、リアルタイムメタデータを生成することについて説明したが、このリアルタイムメタデータにおけるメッセージを正しく生成できる条件で、コンテンツ解析部１２は、放送コンテンツの映像及び音声のうち１種類のみを解析して、リアルタイムメタデータを生成してもよい。
【００２６】
メタデータ生成部１２ｃは、生成したリアルタイムメタデータを、放送の進行にともなって逐次生成して（例えば上記の第１のリアルタイムメタデータ、第２のリアルタイムメタデータ、第３のリアルタイムメタデータの順）、これらのデータを時系列に沿って順次出力する。
【００２７】
出力部１２ｄは、メタデータ生成部１２ｃが生成したリアルタイムメタデータを、通信ネットワークなどを介して放送局に配信し、この放送局から受信機３０に対してデータ放送として放送させる。
【００２８】
視聴者は、現時点に対して例えば５分だけ遡った時点から逐次生成されたリアルタイムメタデータを、受信機３０を介してそれぞれ確認することで、現時点に対して例えば５分だけ遡った時点からの間の遡り番組の視聴の要否を判断することができる。
【００２９】
（コンテンツ配信装置）
コンテンツ配信装置２０は、第１配信部２１、第２配信部２２、第３配信部２３を有する。  
第１配信部２１は、放送局から放送される放送コンテンツをチャンネルごとに逐次取得し、現時点の５分前から現時点までの過去５分間の放送コンテンツを、上書き更新を逐次行いながら、チャンネルごとに記憶媒体に常時保持している。この第１配信部２１は、当該過去５分間の放送コンテンツを通信ネットワークなどを介して受信機３０に常時配信する。  
第２配信部２２は、放送局から放送される放送コンテンツをチャンネルごとに逐次取得し、現時点の１０分前から現時点までの過去１０分間の放送コンテンツを、上書き更新を逐次行いながら、チャンネルごとに記憶媒体に常時保持している。この第２配信部２２は、当該過去１０分間の放送コンテンツを通信ネットワークなどを介して受信機３０に常時配信する。  
第３配信部２３は、放送局から放送される放送コンテンツをチャンネルごとに逐次取得し、現時点の１５分前から現時点までの過去１５分間の放送コンテンツを、上書き更新を逐次行いながら、チャンネルごとに記憶媒体に常時保持している。この第３配信部２３は、当該過去１５分間の放送コンテンツを通信ネットワークなどを介して受信機３０に常時配信する。
【００３０】
コンテンツ配信装置２０は、５分刻みで、過去にそれぞれ保持された遡り放送を受信機３０に配信する構成とするのが望ましい。  
また、上記の例では、遡り放送の長さの種別は、過去５分間、過去１０分間、過去１５分間の３種類としたが、例えば過去２０分間、過去２５分間，過去３０分間程度まで遡った種別を用意してもよい。
【００３１】
（受信機）
受信機３０は、視聴者が利用する機器であり、放送局からの放送コンテンツおよびリアルタイムメタデータをそれぞれ受信し、上記の受信部１１と同様に、多重分離や復号を経て映像信号および音声信号を得る。受信機３０は、リモコン３１（受信機３０自体の操作ボタンであってもよい）に対するチャンネル操作に応じて選局されたチャンネルに関する放送コンテンツの映像および音声を、図示しないモニタおよびスピーカから出力する。
【００３２】
また、受信機３０は、現在選局しているチャンネルに関するリアルタイムメタデータを、リモコン３１に対するリアルタイムメタデータの表示開始のための操作に応じて、放送コンテンツの表示画面の例えば一部に半透明で重ね合わせてモニタに表示させることができる。
【００３３】
また、リアルタイムメタデータの表示開始のための操作によらず、視聴者による受信機３０のモード設定に応じて、受信機３０は、チャンネル操作に応じてチャンネルが選局されると、この選局されたチャンネルに関するリアルタイムメタデータを自動的にモニタに表示させるようにしてもよい。
【００３４】
ここで、受信機３０で表示するリアルタイムメタデータにおける放送日時の範囲は、コンテンツ配信装置２０により保持可能である遡り放送の最長の時間以上の範囲であればよい。例えば、コンテンツ配信装置２０が、最長で過去１５分間の遡り放送を保持可能であれば、受信機３０は、現時点に対する少なくとも１５分前の時刻からに対応するリアルタイムメタデータを表示すればよい。
【００３５】
視聴者は、受信機３０に表示されたリアルタイムメタデータで示される放送日時のうち、興味がある（遡って視聴したい）放送内容のメッセージに対応する放送日時を確認し、視聴を遡る時間として、この放送日時から現時点までの時間以上の遡り時間をリモコン３１などへの操作により指定することができる。例えば、視聴者にとって興味がある放送内容のメッセージを含むメタデータに含まれる放送日時が、現時点から８分前を示していて、コンテンツ配信装置２０が配信する遡り放送が５分刻みであれば、視聴者は、例えば、現時点から５分前またはこれ以前の時刻を起点とした、現在選局しているチャンネルと同じチャンネルにおける遡り放送を、視聴対象の遡り放送として指定すればよい。
【００３６】
視聴者によるリモコン３１の操作などに応じて、受信機３０は、コンテンツ配信装置２０から配信される各種の遡り放送のうち、現在選局しているチャンネルと同じチャンネルにおける、視聴者により指定された遡り時間に対応する遡り放送を出力する。
【００３７】
次に、視聴対象の遡り放送の指定の別の例について説明する。受信機３０における遡り時間の指定に代えて、図４に示すように、受信機３０におけるリアルタイムメタデータの表示画面において、各時刻のリアルタイムメタデータに内容（シーン）選択用のチェックボックスを表示させ、視聴者は、遡り視聴したい内容に対応するチェックボックスを例えばリモコン操作により有効とすることで、視聴対象の遡り放送を指定できる。
【００３８】
この指定に伴い、受信機３０は、この有効としたチェックボックスに関わるシーンの放送時刻またはこれ以前の時刻を起点とする、かつ現在選局しているチャンネルと同じチャンネルに対応する遡り放送を出力する。  
例えば、図４に示した例では、第１のリアルタイムメタデータ「放送日時「１０時０１分００秒」、メッセージ「日本ゴール」にチェックボックスＣ１が設けられ、第２のリアルタイムメタデータ「放送日時「１０時０６分００秒」、メッセージ「地震速報」にチェックボックスＣ２が設けられ、第３のリアルタイムメタデータ「放送日時「１０時０９分００秒」、メッセージ「犯人逮捕の瞬間！」にチェックボックスＣ３が設けられる。
【００３９】
視聴者は、例えば、第１のリアルタイムメタデータのメッセージ「日本ゴール」に対応するシーン（現時点から９分前）を起点とした遡り放送を視聴したいときは、チェックボックスＣ１を有効として、このシーンの放送タイミングからの遡り放送の視聴をリモコン３１などへの操作により指定すればよい。  
この場合、受信機３０は、配信される遡り放送のうち、上記の「日本ゴール」のシーンを視聴できる最適な遡り放送として、現在選局しているチャンネルと同じチャンネルにおける、現時点の１０時１０分００秒に対する１０分前（「日本ゴール」のシーンの時刻以前で、この時刻に対し５分刻みで最も近い時刻）を起点とした遡り放送を出力することができる。
【００４０】
この方式を適用すれば、視聴者は、遡り時間の指定が不要となり、遡り放送の視聴の起点となる所望のシーンを選択すれば足りるようになる。  
ここで、リアルタイムメタデータは、複数の放送日時においてそれぞれ発生した放送内容（事象）が時系列に沿って受信機３０に表示される（例えば古い日時で発生した事象を画面上方に表示し、新しく発生した事象を画面下方に表示する）条件のもとで、放送日時を含まないデータとしてメタデータ生成部１２ｃにより生成されて受信機３０に表示されてもよい。
【００４１】
次に、実施形態における放送システムによる、放送から遡り番組の視聴までの、一連の手順について説明する。  
図５は、実施形態における放送システムによる、放送から遡り番組の視聴までの手順の一例を示すフローチャートである。  
コンテンツ解析装置１０の受信部１１は、放送局からの放送コンテンツを受信する（Ｓ１）。また、コンテンツ配信装置２０は、遡り番組を受信機３０に配信する。
【００４２】
コンテンツ解析装置１０のコンテンツ解析部１２は、Ｓ１で受信した放送コンテンツを解析する（Ｓ２）。
【００４３】
コンテンツ解析装置１０のコンテンツ解析部１２は、Ｓ２での解析の結果をもとに、リアルタイムメタデータを逐次生成し、これを放送局に送信する（Ｓ３）。放送局は、このリアルタイムメタデータをデータ放送として放送する。
【００４４】
受信機３０は、リアルタイムメタデータを受信すると、視聴者による、リアルタイムメタデータ配信の操作を受けて（Ｓ４）、リアルタイムメタデータをモニタに表示させる（Ｓ５）。
【００４５】
Ｓ５で表示されたリアルタイムメタデータを確認した視聴者による、遡り番組の視聴の操作（例えば遡り時間の指定の操作）を受け付け、受信機３０は、コンテンツ配信装置２０から配信された遡り番組のうち出力する遡り番組を選択する（Ｓ６）。  
受信機３０は、この選択した遡り番組を出力して視聴者に視聴させる（Ｓ７）。
【００４６】
以上のように、本発明の実施形態では、放送コンテンツのリアルタイムメタデータをコンテンツ解析装置１０により逐次生成して受信機３０に表示させ、このリアルタイムメタデータを確認した視聴者の操作に応じた遡り番組を表示することができるので、過去の放送のうち、視聴者が興味のある放送をリアルタイムで把握させて、この放送の視聴環境を提供することが可能な放送システムを実現することができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１０…コンテンツ解析装置、１１…受信部、１２…コンテンツ解析部、１２ａ…コンテンツ取得部、１２ｂ…コンテンツ解析部、１２ｃ…メタデータ生成部、１２ｄ…出力部、２０…コンテンツ配信装置、２１…第１配信部、２２…第２配信部、２３…第３配信部、３０…受信機、３１…リモコン。
【図１】
2018157412.tif 000003
【図２】
2018157412.tif 000004
【図３】
2018157412.tif 000005
【図４】
2018157412.tif 000006
【図５】
2018157412.tif 000007